(57)【要約】【課題】外部端子の防水性を確保するとともにプリント基板との電気的な接続をリード線のはんだ付け無しに実現する外部端子構造を提供する。【解決手段】本発明の外部端子構造においては、Ｏリングを外部端子１０に装着し、その外部端子を筐体２０の貫通孔２２に挿入する。Ｏリングの反力に抗して外部端子をさらに押し込み、溝部１３が出現したところで、溝部に止め金具３０を装着する。外部端子は、Ｏリングの反発力により筐体２０に安定的に係合している。止め金具は、自身の弾性力に助勢され外部端子と筐体係合用溝部との間で、筐体に安定的に係合している。止め金具の一端は、接触子３４として延び出し、その先端である接触端３５をプリント基板４０のコンタクトパッド４１に押圧し、電気的な接続を図っている。したがって、使用部品点数および工数を減らし、はんだ付けなどの熱を加えないことから防水性を良好に保つこともできる。【選択図】        図２
2004241615.tif 000002
【特許請求の範囲】
【請求項１】
プリント基板を収納するように組み立てられる筐体の貫通孔に、筐体の一方の表面から止め金具用の溝部のある外部端子を挿入し、筐体の他方の表面で溝部に止め金具を装着して外部端子を筐体に取り付ける外部端子構造であって、
前記止め金具は、溝部にはめ込むための所定の太さを有するスプリングワイヤが屈曲されて形成され、外部端子の溝部に装着されて、溝部を両側から挟む挟持部を有するとともに、筐体とプリント基板と外部端子とが組み立てられた場合に、少なくとも一方の端末がプリント基板上に形成されたコンタクトパッドに圧接する圧接部を有する外部端子構造。
【請求項２】
前記外部端子には防水用のリング状の弾性部材が装着され、外部端子が筐体の貫通孔に挿入されて止め金具によって固定された場合に、リング状の弾性部材は所定の圧力で圧縮され、筐体と外部端子との間の水密性が確保される請求項１記載の外部端子構造。
【請求項３】
前記外部端子と止め金具との間、および、止め金具と筐体との間のそれぞれの係合は、止め金具の弾性力によって補助されている請求項１または２記載の外部端子構造。
【発明の詳細な説明】
【０００１】
【発明の属する技術分野】
本発明は外部端子構造に関し、特に、プリント基板を収納するように組み立てられる筐体の貫通孔に、筐体の一方の表面から止め金具用の溝部のある外部端子を挿入し、筐体の他方の表面で溝部に止め金具を装着して外部端子を筐体に取り付ける外部端子構造に関する。
【０００２】
【従来の技術】
上述の外部端子構造は、電子機器の防水を必要とする場合によく用いられる。そのような場合、外部端子を筐体に取り付けるために、Ｏリングによる構造、パテなどによる接着構造、圧入構造、コネクタ構造などを用いる。このうち図４に示されるようなＯリングを用いる構造によるのが比較的に実際的である。この場合、外部端子（例えば、給電端子）６０は、リベット形状をしており、挿入部の先端に近いところにはＥリング取り付け用の溝が切られている。外部端子６０に弾性材料から形成されたＯリング６９を装着して外部端子６０の挿入部を筐体７０の一方の表面から貫通孔に挿入する。この場合の貫通孔は段付き形状（この形状は必ずしも必要でなく、段付きを無くし、外部端子の挿入部を長くしてもよい）に形成されているので、ここにＯリング６９は押し込められる。圧縮されるＯリング６９の反発力に対抗して外部端子６０を更に挿入し、外部端子６０の溝部が筐体７０の他方の表面から出現したら、Ｅリング８０を外部端子６０の溝部に装着して外部端子６０を筐体７０に取り付ける。その後、外部端子６０の挿入部の先端とプリント基板４０のパッドとの間にリード線９５をはんだ付けして電気的な接続を行う。
【０００３】
【発明が解決しようとする課題】
しかし、上述のようにＯリングを用いる場合、外部端子とプリント基板４０との電気的な接続のために、両者間にリード線のはんだ付けを行わなければならず工数が多く、また、はんだ付けの熱の悪影響を受けて部材に変形が起こり、防水構造に隙間を生じ易いという問題がある。
【０００４】
本発明は、上記の問題を解決するためになされたものであって、外部端子の防水を図るとともに電気的な接続をリード線のはんだ付け無しに実現する外部端子構造を提供することを目的とする。
【０００５】
【課題を解決するための手段】
前述した課題を解決するために、本発明は、プリント基板を収納するように組み立てられる筐体の貫通孔に、筐体の一方の表面から止め金具用の溝部のある外部端子を挿入し、筐体の他方の表面で溝部に止め金具を装着して外部端子を筐体に取り付ける外部端子構造であって、前記止め金具は、溝部にはめ込むのに適合する太さを有するスプリングワイヤが屈曲されて形成され、外部端子の溝部に装着されたとき、溝部を両側から挟むような形状（挟持部）を中央部分に有するとともに、筐体とプリント基板と外部端子とが組み立てられたとき、止め金具の少なくとも一方の端末は、プリント基板上に形成されたコンタクトパッドに圧接する形状（圧接部）を与えられている。
【０００６】
このような構成によれば、止め金具は、外部端子を筐体に組み付けることができるとともに、外部端子を止め金具により弾性力をもってプリント基板のコンタクトパッドに接続することができ、外部端子とコンタクトパッドとのはんだ付けが不要となる。
【０００７】
また、本発明においては、前記外部端子には防水用のリング状の弾性部材が予め装着され、外部端子が筐体の貫通孔に挿入されて止め金具によって固定されたとき、リング状の弾性部材は所定の圧力で圧縮され、筐体と外部端子との間の水密性が確保される。このように水密性が重要な場合に、部材の変形を引き起こす危険があるはんだ付けが不要なことは非常に有利である。
【０００８】
さらに、本発明においては、前記外部端子と止め金具との間、および、止め金具と筐体との間のそれぞれの係合は、止め金具の弾性力によって補助されている。したがって、多少の振動や衝撃を受けても係合は安定に維持される。
【０００９】
【発明の実施の形態】
以下、本発明の実施の形態について添付図面に基づいて説明する。図１は、本発明の外部端子構造の実施の形態を示す断面図、図２は、図１をラインＸ−Ｘから見た断面図、図３は図１の外部端子構造を若干変形した場合の例を示す外観図である。図１および図２で示される外部端子構造は、外部端子１０と、Ｏリング１９と、筐体２０と、止め金具３０と、プリント基板４０とから構成されている。この場合、外部端子１０は、図４で示された外部端子と同様な形状を有しているものとする。すなわち、外部端子１０は、リベット形状をしており、頭部１１、挿入部１２、および挿入部１２の先端に近いところの外周に切られた溝部１３を有している。外部端子１０の挿入部１２には、弾性材料から形成されたＯリング１９が予め装着される。
【００１０】
筐体２０の一方の表面には段付き溝２１が穿設され、その底部には外部端子１０の挿入用のための貫通孔２２がさらに穿設されている。また、筐体２０の他方の表面には止め金具３０と筐体２０とを係合させる筐体係合用溝部２３が貫通孔２２の両側に穿設されている。止め金具３０は、スプリングワイヤを屈曲して形成されたものであって、中央部分は、“コの字”の形に形成され、さらにその両側にも中央部分と連続して“コの字”の形状の筐体係合部３２，３３を作るように形成されている。この場合、スプリングワイヤは、断面形状が円形であるものが点接触構造や加工に有利なので好ましいが、その他の断面形状を有するものであっても構わない。
【００１１】
Ｏリング１９が装着された外部端子１０が図１のように筐体２０の貫通孔２２に対して、段付き溝２１の方から挿入され、溝部１３が反対側に出現すると、止め金具３０の外部端子係合部３１が外部端子１０の溝部１３に係合させられる。この場合、外部端子係合部３１は、溝部１３を両側から挟むように係合し、反力ｆ−２（図２）を受け、筐体係合部３２，３３も反力ｆ−１をうける。このような反力ｆ−１，ｆ−２により、止め金具３０は筐体２０に取り外し可能に保持される。上述のように止め金具３０が外部端子１０を筐体２０に固定した後に、筐体２０とプリント基板４０とが合体されるのであるが、筐体係合部３３から伸び出す接触子３４の接触端３５は、プリント基板４０のコンタクトパッド４１に接触圧ｆ−３で圧接され、電気的な接続が行われる。ここで、筐体係合部３１は本発明の挟持部を構成し、接触端３５は本発明の圧接部を構成している。
【００１２】
したがって、外部端子１０は、Ｏリング１９を圧縮した状態で、止め金具３０により、筐体２０に固定され、外部端子１０と筐体２０との間を水密に保つとともに、リード線などのはんだ付け無しに、外部端子１０を電気的にプリント基板４０のコンタクトパッド４１に接続することができる。この場合、はんだ付けを行わないので、はんだ付けの熱による部材の変形をもたらすこともなく防水性を良好に保つことができる。また、外部端子１０としては、電源を供給するための給電端子が考えられるが、その他の出力端子や接続端子であっても良いことはいうまでもない。
【００１３】
図３は実施例の斜視図を示す。
上述した実施の形態の説明によって明らかなように、止め金具３０，３０ａによって、Ｏリング１９を外部端子１０の頭部１１と筐体２０との間に圧縮した状態で、外部端子１０を筐体２０に取り付けることができるとともに、外部端子１０をその止め金具３０，３０ａによってプリント基板４０に電気的に接続することができることにより、使用部品点数および工数を減らし、はんだ付けが不要であって、熱を加えることもないから部材の変形が無く防水性を良好に保つこともできる。また、作業も止め金具３０，３０ａを挿入するだけなので組み立てが容易である。
【００１４】
【発明の効果】
本発明の外部端子構造は、以上において説明したように構成されているので、止め金具は、外部端子を筐体に装着することを可能にさせ、同時に、外部端子を弾性力をもってプリント基板のコンタクトパッドに接続させることができ、外部端子とコンタクトパッドとのリード線によるはんだ付けを不要とさせている。したがって、使用部品点数および工数を減らし、はんだ付けなどの熱を加えないことから防水性を良好に保つこともできる。また、作業も止め金具を挿入するだけなので組み立てを容易にしている。
【図面の簡単な説明】
【図１】本発明の外部端子構造の実施の形態を示す断面図である。
【図２】図１をラインＸ−Ｘから見た断面図である。
【図３】図１の外部端子構造の実施例を示す斜視図である。
【図４】従来の外部端子構造の例を説明するための図である。
【符号の説明】
１０    外部端子
１１    頭部
１２    挿入部
１３    溝部
２０    筐体
２１    段付き溝
２２    貫通孔
２３    筐体係合用溝部
３０，３０ａ    止め金具
３１    外部端子係合部
３２，３３    筐体係合部
３４，３４ａ    接触子
３５，３５ａ    接触端
４０    プリント基板
４１    コンタクトパッド
【図１】
2004241615.tif 000003
【図２】
2004241615.tif 000004
【図３】
2004241615.tif 000005
【図４】
2004241615.tif 000006